Podtech/llm-jp-corpus-v4-ja_patent huggingface dataset:
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
流体を混合してディスペンスするように構成されたミキサに、流体を収容する分離出口カートリッジを接続するためのアダプタであって、
前記ミキサのハウジングに係止的に係合して当該ハウジングに対する回転を抑制するように構成された少なくとも１つの係止要素を有する係止部と、
前記係止部内に受容され、前記カートリッジから流体を受容するために前記カートリッジのそれぞれの第１及び第２流体出口に結合されるように構成された第１及び第２流体入口部材と、前記ミキサ内に流体を差し向けるように前記ミキサに気密に結合されるように構成された流体出口部材と、を有する接続部と、
を備え、
前記係止部は、前記接続部が前記カートリッジに対して結合される時、前記カートリッジに対する非係止位置と、前記カートリッジに対する係止位置と、の間で前記接続部回りに回転可能である
ことを特徴とするアダプタ。
【請求項２】
前記ミキサは、第１及び第２バヨネット突起を有しており、
前記係止部の前記少なくとも１つの係止要素は、前記ミキサの前記第１及び第２バヨネット突起を受容して係止的に係合するようになっている第１及び第２顎部を有している
ことを特徴とする請求項１に記載のアダプタ。
【請求項３】
前記接続部は、前記複数の流体入口部材と前記流体出口部材との間に配置された径方向外側に突出するフランジを有しており、
当該径方向外側に突出するフランジは、前記接続部が前記ミキサに結合される時、前記ミキサの近位端フランジに直面するようになっている
ことを特徴とする請求項１に記載のアダプタ。
【請求項４】
前記係止部は、前記接続部に向かって延びる少なくとも１つの内部棚を有しており、
前記内部棚は、前記係止部が前記非係止位置にある時、前記接続部に接触して当該接続部を前記カートリッジから引き離すようになっている
ことを特徴とする請求項１に記載のアダプタ。
【請求項５】
前記係止部は、第１及び第２バヨネット突起を有している
ことを特徴とする請求項１に記載のアダプタ。
【請求項６】
前記接続部は、前記係止部から分離して形成されている
ことを特徴とする請求項１に記載のアダプタ。
【請求項７】
前記接続部は、少なくとも１つの径方向に延びる突出部を有しており、
前記係止部は、当該係止部に対する前記接続部の整列を容易化するために前記少なくとも１つの突出部を受容するように構成された少なくとも１つの軸方向に延びる溝を有している
ことを特徴とする請求項６に記載のアダプタ。
【請求項８】
前記接続部は、前記係止部が当該接続部に対して回転される時に破壊するように構成された少なくとも１つの脆い接続によって前記係止部に接続されている
ことを特徴とする請求項１に記載のアダプタ。
【請求項９】
前記係止部は、更に、各々が前記係止部と前記接続部との間にそれぞれの脆い接続を支持する第１及び第２アームを有している
ことを特徴とする請求項８に記載のアダプタ。
【請求項１０】
前記接続部の前記流体出口部材は、分割壁によって分離された第１及び第２流体出口通路を有している
ことを特徴とする請求項１に記載のアダプタ。
【請求項１１】
前記第１及び第２流体出口通路は、前記ミキサ内にそれぞれの第１及び第２流体の等量を差し向けるべくサイズが等しい
ことを特徴とする請求項１０に記載のアダプタ。
【請求項１２】
前記第１及び第２流体出口通路は、前記ミキサ内にそれぞれの第１及び第２流体の異なる量を差し向けるべくサイズが異なる
ことを特徴とする請求項１０に記載のアダプタ。
【請求項１３】
前記接続部の前記流体出口部材は、内部に配置されて当該流体出口部材を通って差し向けられる流体の層を生成するように構成された流体層要素を有している
ことを特徴とする請求項１に記載のアダプタ。
【請求項１４】
前記接続部の前記流体出口部材は、単一の流体出口通路を有している
ことを特徴とする請求項１に記載のアダプタ。
【請求項１５】
ミキサと、
請求項１に記載のアダプタと、
を備えたディスペンシングアセンブリであって、
前記アダプタは、前記ミキサと係合するようにスナップ嵌合されており、
前記アダプタは、前記分離出口カートリッジに前記ミキサを結合するように構成されている
ことを特徴とするディスペンシングアセンブリ。
【請求項１６】
分離出口カートリッジ
を更に備え、
前記アダプタは、当該カートリッジに前記ミキサを結合している
ことを特徴とする請求項１５に記載のディスペンシングアセンブリ。
【請求項１７】
ミキサと、係止部及び接続部を備えたアダプタと、を含むディスペンシングアセンブリを組み付ける方法であって、
前記係止部の遠位開口内に前記ミキサの近位端を位置決めする工程と、
前記係止部に前記ミキサを係止的に係合して、前記ミキサと前記係止部との間の回転を抑制する工程と、
前記接続部の流体出口部材が前記係止部の前記遠位開口に向けて延びると共に、前記接続部の第１及び第２流体入口部材が前記係止部の近位開口に向けて延びる、というように前記係止部内に前記接続部を配置する工程と、
前記接続部の前記流体出口部材を前記ミキサの入口と気密に係合する工程と、
を備えたことを特徴とする方法。
【請求項１８】
前記ミキサは、近位端フランジを有しており、
前記係止部に前記ミキサを係止的に係合する工程は、前記係止部上に形成された少なくとも１つの係止要素に前記フランジを係合する工程を含む
ことを特徴とする請求項１７に記載の方法。
【請求項１９】
前記少なくとも１つの係止要素は、第１及び第２顎部を有し、
前記係止部に前記ミキサを係止的に係合する工程は、前記第１及び第２顎部と係合するように前記フランジをスナップ動作させる工程を含む
ことを特徴とする請求項１８に記載の方法。
【請求項２０】
前記接続部の前記第１及び第２流体入口部材を分離出口カートリッジの第１及び第２流体出口と気密に係合する工程
を更に備えたことを特徴とする請求項１７に記載の方法。
【請求項２１】
前記係止部が前記カートリッジに係止的に係合される係止位置まで、前記接続部に対して前記係止部を回転させる工程
を更に備えたことを特徴とする請求項２０に記載の方法。
【請求項２２】
前記係止部は、少なくとも１つの内部棚を有しており、
当該方法は、更に、
前記少なくとも１つの内部棚が前記接続部の近位側に直面する非係止位置まで、前記接続部に対して前記係止部を回転させる工程と、
前記接続部の前記近位側を前記少なくとも１つの内部棚に接触させて前記カートリッジから前記接続部を引き離す工程と、
を更に備えたことを特徴とする請求項２１に記載の方法。
【請求項２３】
前記係止位置まで前記係止部を回転させる工程は、前記接続部と前記係止部との間の脆い接続を破壊する工程を含んでいる
を更に備えたことを特徴とする請求項２１に記載の方法。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
各開口を有する複数のＣ型溝を有するコア部材を提供するステップと、
材料の少なくとも１枚のシートを提供するステップであって、前記材料の少なくとも１枚のシートが独立気泡シリコーン発泡体ゴムから成り、第１の自由端部を有し、前記材料の少なくとも１枚のシートがコイル状要素を用いて前記コア部材に取り付けられ、前記第１の自由端部は前記コア部材から離れる方向に延在する、ステップと、
前記材料の少なくとも１枚のシートの一部が表面と繰り返しパターンで摺動接触するように前記コア部材を回転させて第１の方向に移動させるステップと
を含み、
前記材料の少なくとも１枚のシートと前記表面との間の摺動接触が、清掃、バフ研磨、及び研磨のうちの少なくとも１つになる力を生み出すのに十分な圧力及び相対速度の下で発生する、水を必要としない、表面上の清掃、バフ研磨、及び研磨作用のうちの少なくとも１つの実行方法。
【請求項２】
偏りがない状態での前記コイル状要素の寸法は、前記Ｃ型溝の各開口の幅よりも大きく、偏った状態では前記Ｃ型溝の開口の幅よりも小さい、請求項１に記載の方法。
【請求項３】
前記材料の少なくとも１枚のシートが材料の複数のシートを含み、各シートが自由端部を有する、請求項２に記載の方法。
【請求項４】
前記材料の複数のシートの前記自由端部は、前記コア部材のまわりに対称に配置される、請求項３に記載の方法。
【請求項５】
前記コア部材を第２の方向に移動させることをさらに含み、前記第２の方向が並進方向である、請求項１に記載の方法。
【請求項６】
前記コイル状要素は、挿通により前記材料の少なくとも１枚のシートに取り付けられる、請求項１に記載の方法。
【請求項７】
前記表面が太陽電池パネルであり、前記太陽電池パネルの光透過特性が改善される、請求項１に記載の方法。
【請求項８】
前記コア部材が、材料の各前記シートのアタッチメントに隣接する平坦面を含む、請求項１に記載の方法。
【請求項９】
前記材料の少なくとも１枚のシートが、第２の自由端部と、前記第１の自由端部と前記第２の自由端部との間に配設される中間区域とを含み、
前記中間区域の少なくとも一部が前記コア部材の前記Ｃ型溝の１つに取り付けられ、前記第１及び第２の自由端部が前記コア部材から離れる方向に延在する、請求項１に記載の方法。
【請求項１０】
材料の第２のシートを提供するステップをさらに含み、前記材料の第２のシートが独立気泡シリコーン発泡体ゴムから成り、第１の自由端部を有し、前記材料の第２のシートが前記材料の少なくとも１枚のシートとは反対の位置で前記コア部材に取り付けられ、前記材料の第２のシートの前記第１の自由端部が前記コア部材から離れる方向に延在する、請求項１に記載の方法。
【請求項１１】
回転対称パターンで配置された複数のＣチャンネル溝を有するコア部材を提供するステップと、
独立気泡シリコーン発泡体ゴムの複数のシートを提供するステップであって、各前記複数のシートは、両面フラップを形成するように折り重ねられる、ステップと、
前記フラップが前記コア部材のまわりに対称パターンを形成するように、前記複数のＣチャンネル溝の各１つにおいて各前記複数のフラップを固定するステップと、
材料の少なくとも１枚のシートの一部が表面と繰り返しパターンで摺動接触するように前記コア部材を移動させるステップと
を含み、
前記材料の少なくとも１枚のシートと前記表面との間の摺動接触が、前記表面の清掃になる力を生み出すのに十分な圧力及び相対速度の下で発生する、水を必要としない、表面の清掃方法。
【請求項１２】
前記両面フラップの１つ以上の面の間に充填材料を提供することをさらに含み、前記充填材料は膨張する発泡体から成る、請求項１１に記載の方法。
【請求項１３】
前記コア部材を移動させるステップは、前記コア部材を第１の方向及び第２の並進方向に回転させることを含む、請求項１１に記載の方法。
【請求項１４】
両面フラップを形成するように折り重ねられた前記独立気泡シリコーン発泡体ゴムの複数のシートは、前記コア部材のまわりに対称に配置される、請求項１１に記載の方法。
【請求項１５】
中心軸と周辺部とを有するコア部材と、
独立気泡シリコーン発泡体ゴムから成り、少なくとも第１の自由端部を有する材料の少なくとも１枚のシートと
を備え、
材料アタッチメントが前記コア部材の前記中心軸と略平行であるように、前記材料の少なくとも１枚のシートが前記コア部材に取り付けられ、前記少なくとも第１の自由端部が前記コア部材の前記周辺部から離れる方向に延在し、
前記コア部材が、材料の各前記シートの前記アタッチメントに隣接する平坦面を含み、
前記コア部材及び前記材料の少なくとも１枚のシートが、少なくとも第１の方向への表面に対する相対移動のために構成され、
前記第１の方向への運動が、前記材料の少なくとも１枚のシートの前記少なくとも第１の自由端部を、ゼロ以外の速度で前記表面に接触させ、
前記材料の少なくとも１枚のシートの前記少なくとも第１の自由端部の前記運動が、前記表面上で清掃、バフ研磨、及び／または研磨作用のうちの少なくとも１つを発生させる、表面上で清掃、バフ研磨、及び研磨作用のうちの少なくとも１つを実行するように構成されるブラシ。
【請求項１６】
前記コア部材が、各平坦面に隣接する湾曲部分を有する略円筒状部材を画定する、請求項１５に記載のブラシ。
【請求項１７】
前記コア部材が、前記材料の少なくとも１枚のシートの剛性を上回る剛性を有する、請求項１５に記載のブラシ。
【請求項１８】
前記コア部材が前記第１の方向への相対移動のために構成され、それにより、前記コア部材が移動するように構成されて、前記表面は実質的に静止している、請求項１５に記載のブラシ。
【請求項１９】
前記コア部材が前記第１の方向への相対移動のために構成され、それにより、前記コア部材が、移動表面に対して実質的に静止したままであるように構成される、請求項１５に記載のブラシ。
【請求項２０】
前記コア部材の前記第１の方向への移動が並進又は回転移動の何れかである、請求項１５に記載のブラシ。
【請求項２１】
前記材料の少なくとも１枚のシートに隣接して配設され、かつ前記表面との接触がないように配置される可撓性構造要素をさらに含み、前記可撓性構造要素は、前記材料の少なくとも１枚のシートによる接触中、前記材料の少なくとも１枚のシートと前記表面との間の圧力を増加させるように構成される、請求項１５に記載のブラシ。
【請求項２２】
前記コア部材及び前記材料の少なくとも１枚のシートが、少なくとも第２の方向への移動のために構成される、請求項１５に記載のブラシ。
【請求項２３】
前記第２の方向への移動が、前記コア部材の前記中心軸まわりの回転である、請求項２２に記載のブラシ。
【請求項２４】
前記材料の少なくとも１枚のシートが、第２の自由端部と、前記第１の自由端部と前記第２の自由端部との間に配設される中間区域とを含み、
前記中間区域の少なくとも一部が前記コア部材に取り付けられ、前記第１及び第２の自由端部が前記コア部材の前記周辺部から離れる方向に延在する、請求項１５に記載のブラシ。
【手続補正書】
【提出日】令和2年1月10日(2020.1.10)
【手続補正１】
【補正対象書類名】特許請求の範囲
【補正対象項目名】請求項４
【補正方法】変更
【補正の内容】
【請求項４】
前記オリゴマー酸Ａが、式（ＩＩ）のポリエーテル
Ｒ−（Ｏ−Ａ）xＯＨ  （ＩＩ）
［式中、Ｒ、Ａおよびｘは請求項１、２または３で定義されたとおりである］を、２、３または４つのカルボキシル基、および任意に１または２つのヒドロキシル基、または１つのホスホン酸基を含み且つ合計３〜１２個の炭素原子を有する少なくとも１つの有機ポリカルボン酸またはその無水物と反応させることによって得られる、請求項３に記載の分散剤組成物。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
割出し可能な切削インサート（２０、１２０）であって、
対向する上および下端面（２２、２４）であって、連続的な外周側面（２６）と、それらの間に延在する中心軸（Ａ１）とを備えた対向する上および下端面（２２、２４）と、
前記外周側面（２６）と、それぞれ前記上および下端面（２２、２４）との交差部に形成された上および下周縁（２８、３０）と、
前記上周縁（２８）に形成されたＮ個の上切れ刃（３６）であって、Ｎ≧２である、Ｎ個の上切れ刃（３６）と
を含み、
前記外周側面（２６）は、
前記中心軸（Ａ１）に垂直な第１水平面（ＰＨ１）で取られた断面において非円形である、前記上周縁（２８）に隣接する連続的な上逃げ面（３２）と、
前記中心軸（Ａ１）に垂直な第２水平面（ＰＨ２）で取られた断面において円形である、前記上周縁（２８）から離間された連続的な上当接面（３４ａ）と
を含み、
各上切れ刃（３６）は、前記中心軸（Ａ１）を含む二等分面（ＰＢ）を中心とした鏡面対称を呈し、
前記切削インサート（２０、１２０）の端面図において、前記上周縁（２８）は、非円形であり、かつ前記中心軸（Ａ１）を中心としたＮ回回転対称を呈し、および
前記切削インサート（２０、１２０）の側面図において、各上切れ刃（３６）は、非線形である、割出し可能な切削インサート（２０、１２０）。
【請求項２】
各上切れ刃（３６）は、前記上周縁（２８）に沿って３６０／Ｎ°だけ円周方向に延在する、請求項１に記載の切削インサート（２０、１２０）。
【請求項３】
前記上当接面（３４ａ）は、前記上端面（２２）から離れる方向に減少する上当接直径（ＤＵ）を有する円錐形である、請求項１または２に記載の切削インサート（２０、１２０）。
【請求項４】
前記上周縁（２８）上の任意の点は、前記上当接面（３４ａ）上の任意の点よりも前記中心軸（Ａ１）から遠くに位置し得る、請求項１〜３のいずれか一項に記載の切削インサート（２０、１２０）。
【請求項５】
前記切削インサート（２０、１２０）は、前記中心軸（Ａ１）に垂直な正中面（Ｍ）を中心とした鏡面対称を呈し、および
前記上逃げ面および上当接面（３２、３４ａ）は、前記上端面（２２）と前記正中面（Ｍ）との間に位置する、請求項１〜４のいずれか一項に記載の切削インサート（２０、１２０）。
【請求項６】
前記下周縁（３０）は、前記上周縁（２８）と同一であり、その上に複数のＮ個の下切れ刃５２が形成されている、請求項１〜５のいずれか一項に記載の切削インサート（２０、１２０）。
【請求項７】
前記切削インサート（２０、１２０）の端面図において、各上切れ刃（３６）は、前記中心軸（Ａ１）に対して外向きに凸状である、請求項１〜６のいずれか一項に記載の切削インサート（２０、１２０）。
【請求項８】
前記外周側面（２６）は、前記下周縁（３０）に隣接する連続的な下逃げ面（５０）と、前記下周縁（３０）から離間された連続的な下当接面（３４ｂ）とを含み、および前記下逃げ面（５０）は、前記上逃げ面（３２）と同一であり、かつ
前記下当接面（３４ｂ）は、上当接面（３４ａ）と同一である、請求項１〜７のいずれか一項に記載の切削インサート（２０、１２０）。
【請求項９】
前記切削インサート（２０、１２０）の端面図において、第１仮想円（Ｃ１）は、Ｎ個の個別の半径方向最外点（Ｎｏ１、Ｎｏ２、Ｎｏ３、Ｎｏ４）で前記上周縁（２８）に外接し、かつ、前記各上切れ刃３６は、前記Ｎ個の半径方向最外点（Ｎｏ１、Ｎｏ２、Ｎｏ３、Ｎｏ４）の２つの間に延在する、請求項１〜８のいずれか一項に記載の切削インサート（２０、１２０）。
【請求項１０】
前記Ｎ個の半径方向最外点（Ｎｏ１、Ｎｏ２、Ｎｏ３、Ｎｏ４）は、前記上周縁（２８）上の他の任意の点よりも前記第２水平面（ＰＨ２）の近くに位置する、請求項９に記載の切削インサート（２０）。
【請求項１１】
各上切れ刃（３６）は、前記上切れ刃（３６）上の他の任意の点よりも前記第２水平面（ＰＨ２）から遠くに位置する複数の個別の軸方向最上点（Ｎｕ１、Ｎｕ２、Ｎｕ３、Ｎｕ４）を有する、請求項１〜１０のいずれか一項に記載の切削インサート（１２０）。
【請求項１２】
前記上周縁（２８）は、厳密に４つの上切れ刃（３６）を有し、およびＮ＝４である、
請求項１〜１１のいずれか一項に記載の切削インサート（２０、１２０）。
【請求項１３】
前記上端面（２２）は、平坦な上支持面（３８）を含み、および
前記上周縁（２８）は、全体として前記上支持面（３８）よりも前記第２水平面（ＰＨ２）の近くに位置する、請求項１〜１２のいずれか一項に記載の切削インサート（２０、１２０）。
【請求項１４】
前記上端面（２２）は、前記上周縁（２８）に隣接する連続的なすくい面（４２）と、
前記上支持面（３８）に隣接する傾斜面（４４）とを含み、
前記すくい面（４２）は、前記第２水平面（ＰＨ２）に向かって半径方向内側に延在し、
および
前記傾斜面（４４）は、前記第２水平面（ＰＨ２）に向かって半径方向外側に延在する、
請求項１３に記載の切削インサート（２０、１２０）。
【請求項１５】
前記傾斜面（４４）は、複数の円周方向に離間された突出部（４６）によって中断される、請求項１４に記載の切削インサート（２０、１２０）。
【請求項１６】
前記二等分面（ＰＢ）の１つにおいて前記切削インサート（２０、１２０）を傾けることにより、関連する前記上切れ刃（３６）は、回転する工作物に係合するために実質的に一定の上曲率半径（ＲＵ）を表す、請求項９に記載の切削インサート（２０、１２０）。
【請求項１７】
前記上曲率半径（ＲＵ）は、前記第１仮想円（Ｃ１）の前記半径より大きい、請求項１６に記載の切削インサート（２０、１２０）。
【請求項１８】
前記上周縁（２８）は、前記二等分面（ＰＢ）の少なくとも１つに含まれるＮ個の半径方向最内点（ＮＩ１、ＮＩ２、ＮＩ３、ＮＩ４）を有する、請求項１〜１７のいずれか一項に記載の切削インサート（２０、１２０）。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
ガラス質ボンド研磨物品の製造方法であって、
ａ）逐次的に、
ｉ）固まっていない粉末粒子の層を限定された領域内に堆積させる工程であって、前記固まっていない粉末粒子が、ガラス質ボンド前駆体粒子、研磨粒子、及び有機化合物粒子を含み、前記固まっていない粉末粒子の層が、実質的に均一な厚さを有する、堆積させる工程、及び
ｉｉ）伝導又は照射によって熱を選択的に適用して、前記固まっていない粉末粒子の層のエリアを加熱処理する工程、
を含むサブプロセス工程と、
ｂ）工程ａ）を複数回独立して実施して、結合された粉末粒子と残りの固まっていない粉末粒子とを含む研磨物品プリフォームを生成する工程であって、各工程ａ）において、前記固まっていない粉末粒子が独立して選択される、工程と、
ｃ）前記残りの固まっていない粉末粒子の実質的に全てを前記研磨物品プリフォームから分離する工程と、
ｄ）前記研磨物品プリフォームを加熱して、ガラス質ボンド材料中に保持された前記研磨粒子を含む前記ガラス質ボンド研磨物品を提供する工程と、
の逐次的工程を含む、製造方法。
【請求項２】
前記研磨粒子は、ダイヤモンド粒子又は立方窒化ホウ素粒子のうちの少なくとも１つを含む、請求項１に記載の製造方法。
【請求項３】
前記ガラス質ボンド研磨物品は、単体構造化された研磨ディスク、研磨研削ビット、研磨セグメント、研磨リム、研磨ホイール、及び歯科用回転ツールからなる群から選択される、請求項１又は２に記載の製造方法。
【請求項４】
前記有機化合物粒子は、５０℃〜２５０℃（両端の値を含む）の融点を有する、請求項１〜３のいずれか一項に記載の製造方法。
【請求項５】
前記有機化合物粒子は、ワックス、糖、デキストリン、２５０℃以下の融点を有する熱可塑性材料、アクリレート、メタクリレート、及びこれらの組み合わせから選択される、請求項１〜４のいずれか一項に記載の製造方法。
【請求項６】
前記有機化合物粒子は、前記固まっていない粉末粒子の２．５重量％〜３０重量％の量で存在する、請求項１〜５のいずれか一項に記載の製造方法。
【請求項７】
工程ｄ）は、前記有機化合物材料をバーンアウトすることを更に含む、請求項１〜６のいずれか一項に記載の製造方法。
【請求項８】
工程ｉｉ）において、前記熱が単一の加熱チップを用いて適用される、請求項１〜７のいずれか一項に記載の製造方法。
【請求項９】
ガラス質ボンド前駆体材料及び有機化合物によって互いに結合された研磨粒子を含むガラス質ボンド研磨物品前駆体であって、
前記ガラス質ボンド研磨物品前駆体を少なくとも部分的に通って延びる少なくとも１つの蛇行状冷却チャネルを更に含む、ガラス質ボンド研磨物品前駆体。
【請求項１０】
メタルボンド研磨物品の製造方法であって、
ａ）逐次的に、
ｉ）固まっていない粉末粒子の層を限定された領域内に堆積させる工程であって、前記固まっていない粉末粒子が、高融点金属粒子、研磨粒子、及び有機化合物粒子を含み、前記固まっていない粉末粒子の層が、実質的に均一な厚さを有する、堆積させる工程
ｉｉ）伝導又は照射によって熱を選択的に適用して、前記固まっていない粉末粒子の層のエリアを加熱処理する工程、
を含むサブプロセス工程と、
ｂ）工程ａ）を複数回独立して実施して、結合された粉末粒子及び残りの固まっていない粉末粒子を含む研磨物品プリフォームを生成する工程であって、各工程ａ）において、前記固まっていない粉末粒子が独立して選択される、工程と、
ｃ）前記残りの固まっていない粉末粒子の実質的に全てを前記研磨物品プリフォームから分離する工程と、
ｄ）前記研磨物品プリフォームに溶融した低融点金属を注入する工程であって、前記高融点金属粒子の少なくとも一部が、前記溶融した低融点金属と接触したときに完全には溶融しない、注入する工程と、
ｅ）前記溶融した低融点金属を固化して、メタルボンド研磨物品を提供する工程と、
の逐次的工程を含む、製造方法。
【請求項１１】
前記高融点金属粒子が、前記溶融した低融点金属の温度よりも少なくとも５０℃高い融点を有する、請求項１０に記載の製造方法。
【請求項１２】
工程ｃ）と工程ｄ）との間に、前記有機化合物材料の少なくとも一部分をバーンオフすることを更に含む、請求項１０又は１１に記載の製造方法。
【請求項１３】
メタルボンド研磨物品の製造方法であって、
ａ）逐次的に、
ｉ）固まっていない粉末粒子の層を限定された領域内に堆積させる工程であって、前記固まっていない粉末粒子が、金属粒子、研磨粒子、及び有機化合物粒子を含み、前記固まっていない粉末粒子の層が、実質的に均一な厚さを有する、堆積させる工程、
ｉｉ）伝導又は照射によって熱を選択的に適用して、前記固まっていない粉末粒子の層のエリアを加熱処理する工程、
を含むサブプロセス工程と、
ｂ）工程ａ）を複数回独立して実施して、前記結合された粉末粒子及び残りの固まっていない粉末粒子とを含む研磨物品プリフォームを生成する工程であって、前記研磨物品プリフォームは所定の形状を有し、各工程ａ）において、前記固まっていない粉末粒子が独立して選択される、工程と、
ｃ）前記残りの固まっていない粉末粒子の実質的に全てを前記研磨物品プリフォームから分離する工程と、
ｄ）前記研磨物品プリフォームを加熱して、メタルボンド研磨物品を提供する工程と、
の逐次的工程を含む、製造方法。
【請求項１４】
前記金属粒子は、高融点金属粒子と低融点金属粒子との組み合わせを含み、前記高融点金属粒子は、前記溶融した低温金属の温度よりも少なくとも５０℃高い融点を有する、請求項１３に記載の製造方法。
【請求項１５】
有機化合物材料によって互いに結合された金属粒子と研磨粒子とを含むメタルボンド研磨物品前駆体であって、
前記メタルボンド研磨物品前駆体を少なくとも部分的に通って延びる少なくとも１つの蛇行状冷却チャネル；
前記メタルボンド研磨物品前駆体を少なくとも部分的に通って延びる少なくとも１つの弓状冷却チャネル、
のうちの少なくとも１つを更に含む、メタルボンド研磨物品前駆体。
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
自掃式であるように構成された換気システム（１）であって、前記換気システム（１）は、
少なくとも１つの空気ダクト（２、５、１７）により濾過ユニット（３）を通して導かれる排気を濾過するように構成された、濾過ユニット（３）と、
前記排気から凝縮水を収集するように構成された凝縮チャンバ（６ａ）であって、前記凝縮チャンバは、ヒートポンプ（６）のバッテリ部（６ａ）に含まれ、前記バッテリ部（６ａ）は、通過排気からエネルギーを取り出すように構成される、凝縮チャンバ（６ａ）と、
前記凝縮水を摂氏６５度以上の温度に加熱するように構成された加熱要素（１３）と、
前記凝縮水を前記濾過ユニット（３）、前記少なくとも１つの空気ダクト（２、５、１７）のうちの少なくとも１つ、および／または前記凝縮チャンバ（６ａ）、のうちの１つ以上の中に散水するように構成されたスプリンクラシステム（１６ａ〜１６ｅ）と、
を含み、
前記換気システム（１）はこのように前記凝縮水を利用した前記換気システムの自掃を提供するように構成される、
換気システム（１）。
【請求項２】
前記加熱要素は、ヒートポンプ（６）の高温ガス導管（１３）である、請求項１に記載の換気システム。
【請求項３】
前記濾過ユニット（３）は、少なくとも１つの遠心分離フィルタ（４）を含む、請求項１または２に記載の換気システム。
【請求項４】
前記少なくとも１つの遠心分離フィルタ（４）のうちの少なくとも１つは、動作中にリバースモードで運転される、請求項３に記載の換気システム。
【請求項５】
前記凝縮水は、前記スプリンクラシステム（１６ａ〜１６ｅ）を通して層流で送られる、請求項１〜４のいずれか一項に記載の換気システム。
【請求項６】
前記スプリンクラシステム（１６ａ〜１６ｅ）は、前記凝縮水を前記濾過ユニット（３）内に散水するための少なくとも１つのスプリンクラノズル（１６ａ、１６ｂ）を含む、請求項１〜５のいずれか一項に記載の換気システム。
【請求項７】
前記凝縮水を前記遠心分離フィルタ（４）の内部に散水するために少なくとも１つのスプリンクラノズル（１６ｂ）が配置され、前記凝縮水は濾過中に前記排気流れ内の油脂粒子がたどるのと同じ軌道をたどる、請求項３に従属するときの請求項６に記載の換気システム。
【請求項８】
バッテリ部（６ａ）および高温ガス導管（１３）を含むヒートポンプ（６）をさらに含み、前記ヒートポンプは、前記バッテリ部内の凝縮水を収集して、収集された凝縮水を前記高温ガス導管（１３）を利用して加熱するように構成され、したがって、前記ヒートポンプは、前記換気システム（１）の凝縮チャンバ（６ａ）および加熱要素（１３）として作用する、請求項１〜７のいずれか一項に記載の換気システム。
【請求項９】
前記凝縮水を前記スプリンクラノズル（１６ａ〜１６ｅ）に供給するための導管（１５）をさらに含み、前記スプリンクラノズル（１６ａ〜１６ｅ）は、前記導管（１５）に取り付けられる別々のノズルおよび／または一連のノズルとして、または、前記導管（１５）内の１つの穴または開口部または一連の穴および／または開口部として形成される、請求項６または、請求項６に従属するときの請求項７または８のいずれか一項に記載の換気システム。
【請求項１０】
少なくともいくつかのスプリンクラノズル（１６ａ、１６ｂ）は、加熱された凝縮水を前記換気システム（１）内に含まれる濾過ユニット（３）の内部、場合によっては前記濾過ユニット（３）内に含まれるフィルタ（４）の内部にも散水するように寸法決めされ配置される、請求項９に記載の換気システム。
【請求項１１】
少なくとも１つのノズル（１６ｃ）は、加熱された凝縮水を前記凝縮チャンバ（６ａ）の内部に散水するように寸法決めされ配置され、および／または、少なくとも１つのノズル（１６ａ、１６ｂ）は、加熱された凝縮水を前記換気システム（１）の前記第１の空気ダクト（２）および／または第２の空気ダクト（５）および／または任意の後続の空気ダクト（１７）の内部に散水するように寸法決めされ配置される、請求項９または１０に記載の換気システム。
【請求項１２】
自掃式であるように構成された換気システム（１）において用いられる方法であって、前記方法は、
少なくとも１つの空気ダクト（２、５、１７）により濾過ユニット（３）を通して導かれる排気を濾過するステップと、
前記排気からの凝縮水を凝縮チャンバ（６ａ）内に収集するステップであって、前記凝縮チャンバは、ヒートポンプ（６）のバッテリ部（６ａ）に含まれ、前記バッテリ部（６ａ）は、通過排気からエネルギーを取り出すように構成される、ステップと、
前記凝縮水を加熱要素（１３）により摂氏６５度以上の温度に加熱するステップと、
スプリンクラシステム（１６ａ〜１６ｅ）を使用して前記凝縮水を前記濾過ユニット（３）、前記少なくとも１つの空気ダクト（２、５、１７）のうちの少なくとも１つ、および／または前記凝縮チャンバ（６ａ）、のうちの１つ以上の中に散水するステップと、
を含み、
これにより前記凝縮水を利用した前記換気システムの自掃を提供する、
方法。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
電動歯ブラシであって、
タフト面を有し、少なくとも２つの回転の軸方向に変位可能なヘッドと、
前記ヘッドに回転駆動力を伝え、前記少なくとも２つの回転軸方向の間での変位を容易にするフレキシブル部を有するドライブシャフトと、
を備える電動歯ブラシ。
【請求項２】
請求項１に記載の電動歯ブラシであって、
前記タフト面は、湾曲面を有する電動歯ブラシ。
【請求項３】
請求項１又は２に記載の電動歯ブラシであって、
前記ドライブシャフトは、前記２つの回転軸方向の間及び前記２つの回転軸方向において前記ヘッドへの駆動力を維持可能とするために、前記ヘッドの領域においてフレキシブル部を備えており、前記フレキシブル部は、前記ドライブシャフトを前記ヘッドと駆動係合した状態のままにできるが、第１回転軸方向から第２回転軸方向への前記ヘッドの変位に対応するため、前記ドライブシャフトを変形させることもできる、電動歯ブラシ。
【請求項４】
請求項１から３のいずれか１項に記載の電動歯ブラシであって、
前記フレキシブル部は、スプリングを有する電動歯ブラシ。
【請求項５】
請求項４に記載の電動歯ブラシであって、
前記スプリングは、ヘリカルコイルスプリングを有する電動歯ブラシ。
【請求項６】
請求項１から５のいずれか１項に記載の電動歯ブラシであって、
前記ドライブシャフトは、前記ヘッドに回転を直接的に伝える電動歯ブラシ。
【請求項７】
請求項３から６のいずれか１項に記載の電動歯ブラシであって、
前記第１回転軸方向は、前記ブラシの長手軸と実質的に一致する回転軸を含み、前記第２回転軸方向は、前記ブラシの長手軸と実質的に垂直な回転軸を含む電動歯ブラシ。
【請求項８】
請求項１から７のいずれか１項に記載の電動歯ブラシであって、
前記フレキシブル部は、前記ヘッドが第１回転軸方向にある場合には、湾曲している電動歯ブラシ。
【請求項９】
請求項１から８のいずれか１項に記載の電動歯ブラシであって、
前記ヘッドは、不完全な球状のタフト面を有する電動歯ブラシ。
【請求項１０】
請求項１から９のいずれか１項に記載の電動歯ブラシであって、
前記ヘッドは、実質的に完全な球状のタフト面を有する電動歯ブラシ。
【請求項１１】
請求項１から１０のいずれか１項に記載の電動歯ブラシであって、
前記ブラシは、前記少なくとも２つの回転軸方向の間で前記ヘッドを変位させるように動作可能なアクチュエータを有する電動歯ブラシ。
【請求項１２】
請求項１１に記載の電動歯ブラシであって、
前記アクチュエータは、前記ドライブシャフトの長手方向の変位を介して少なくとも２つの回転軸方向の間にヘッドを配置する電動歯ブラシ。
【請求項１３】
請求項１２に記載の電動歯ブラシであって、
前記アクチュエータは、ウォームを画定する第１セクションと、前記ウォームと係合可能なフォロワを画定する第２セクションとを備え、前記第１セクションに対する前記第２セクションの軸方向の変位を生じさせる、電動歯ブラシ。
【請求項１４】
請求項１から１３のいずれか１項に記載の電動歯ブラシであって、
前記ユーティリティブラシは、前記少なくとも２つの回転軸方向の間で前記ヘッドが沿って変位可能な固定経路を画定するガイドアセンブリを有する電動歯ブラシ。
【請求項１５】
請求項１４に記載の電動歯ブラシであって、
前記ガイドアセンブリは、前記ヘッドが沿って変位可能な弧状の経路を画定する、電動歯ブラシ。
【請求項１６】
請求項１４又は１５に記載の電動歯ブラシであって、
前記ガイドアセンブリは、ジンバルフレームを有する電動歯ブラシ。
【請求項１７】
請求項１から１６のいずれか１項に記載の電動歯ブラシであって、
前記ブラシは、前記ヘッドを部分的に包囲するガードを有する電動歯ブラシ。
【請求項１８】
請求項１６に従属した場合の請求項１７に記載の電動歯ブラシであって、  前記フレームは、前記ガードに旋回可能に取り付けられている電動歯ブラシ。
【請求項１９】
請求項１から１８のいずれか１項に記載の電動歯ブラシであって、
前記ブラシは、前記ドライブシャフトが少なくとも部分的に収容される中空ステムを有する電動歯ブラシ。
【請求項２０】
請求項１から１９のいずれか１項に記載の電動歯ブラシであって、
前記ブラシは、前記ドライブシャフトの回転を生じさせるように動作可能な駆動手段を有する電動歯ブラシ。
【請求項２１】
請求項２０に記載の電動歯ブラシであって、
前記ブラシは、把手を備え、前記中空ステムが前記把手から延び、
前記駆動手段は少なくとも部分的に前記把手内に収容されている電動歯ブラシ。
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
ａ）少なくとも１つの使い捨てパッケージ（１１０）と、
ｂ）取外し可能であるように前記使い捨てパッケージ（１１０）内部に受容される少なくとも１つの無菌容器（１５２）と、
ｃ）少なくとも部分的に受容者に挿入されるように構成され、前記無菌容器（１５２）に受容されている少なくとも１つのサブシステム（２０２）と、を備え、
前記無菌容器（１５２）は、前記サブシステム（２０２）のための少なくとも１つの挿入部出口開口部（１６８）を備え、
前記挿入部出口開口部（１６８）は、前記挿入部出口開口部（１６８）上のライナーシーリング（１１８）によって閉鎖され、
前記ライナーシーリング（１１８）は、前記無菌容器（１５２）が前記使い捨てパッケージ（１１０）から取り外されると前記ライナーシーリング（１１８）が自動的に剥離されるように、前記使い捨てパッケージ（１１０）に付着される、機能性医療パッケージ（２２０）。
【請求項２】
前記サブシステム（２０２）は、体組織内の少なくとも１つの分析物を検出するための分析物センサと前記受容者に少なくとも１つの薬品を提供するための医療装置（２０４）とから成る群から選択される、請求項１記載の機能性医療パッケージ（２２０）。
【請求項３】
前記医療装置は、カニューレ（２０６）、および取り外し可能であるように前記カニューレ（２０６）内に受容される挿入針（２０８）を備える、請求項２記載の機能性医療パッケージ（２２０）。
【請求項４】
前記無菌容器（１５２）は、前記挿入部出口開口部（１６８）を有する少なくとも１つの無菌容器収容部（１５４）を備え、および前記無菌容器（１５２）は、インサータ（２２２）のアクチュエータが前記無菌容器（１５２）に入り、前記受容者への挿入のために前記サブシステム（２０２）と係合することを可能にするための少なくとも１つの駆動開口部（１７０）をさらに備える、請求項１〜３のいずれか１項に記載の機能性医療パッケージ（２２０）。
【請求項５】
前記駆動開口部（１７０）は、少なくとも１つの駆動密閉要素（１８２）によって密閉される、請求項４記載の機能性医療パッケージ（２２０）。
【請求項６】
前記駆動密閉要素（１８２）は、切開されるように構成される、請求項５記載の機能性医療パッケージ（２２０）。
【請求項７】
前記駆動密閉要素（１８２）は、前記インサータ（２２２）の少なくとも１つの駆動アーム（２４０）および／または前記インサータ（２２２）の切開機構によって切開されるように構成される、請求項６記載の機能性医療パッケージ（２２０）。
【請求項８】
前記使い捨てパッケージ（１１０）は、前記無菌容器（１５２）を前記使い捨てパッケージ（１１０）から取り外すことが可能な、使い捨てパッケージ開口部（１１６）を備える、請求項１〜７のいずれか１項に記載の機能性医療パッケージ（２２０）。
【請求項９】
前記使い捨てパッケージ開口部（１１６）は少なくとも１つの密閉要素によって密閉される、請求項８記載の機能性医療パッケージ（２２０）。
【請求項１０】
前記受容者の皮膚への付着のために構成される少なくとも１つの本体取付け部（１９２）をさらに備える、請求項１〜９のいずれか１項記載の機能性医療パッケージ（２２０）。
【請求項１１】
前記無菌容器（１５２）は、前記本体取付け部（１９２）に付着される、請求項１０記載の機能性医療パッケージ（２２０）。
【請求項１２】
前記無菌容器（１５２）および前記本体取付け部（１９２）は、一単位として前記使い捨てパッケージ（１１０）から取り外し可能である、請求項１０または１１記載の機能性医療パッケージ（２２０）。
【請求項１３】
少なくとも１つのサブシステム（２０２）を受容者に挿入するための医療装置（２２４）であって、
請求項１〜１２のいずれか１項記載の少なくとも１つの機能性医療パッケージ（２２０）と、
前記サブシステム（２０２）を前記受容者に挿入するための少なくとも１つのインサータ（２２２）と、を備える医療装置（２２４）。
【請求項１４】
請求項１〜１２のいずれか１項に記載の前記機能性医療パッケージ（２２０）の製造方法であって、
前記使い捨てパッケージ（１１０）を設けることと、
前記ライナーシーリング（１１８）によって前記挿入部出口開口部（１６８）が閉鎖されており、内部に前記サブシステム（２０２）を受容している前記無菌容器（１５２）を設けることと、
前記無菌容器（１５２）を取り外し可能に前記使い捨てパッケージ（１１０）内に受容することと、
前記ライナーシーリング（１１８）を前記使い捨てパッケージ（１１０）に付着させることと、を含む方法。
【請求項１５】
前記方法は、内部に前記サブシステム（２０２）を受容している前記無菌容器（１５２）を殺菌するための少なくとも１つの殺菌工程をさらに備える、請求項１４記載の方法。
【請求項１６】
インサータ（２２２）によって少なくとも部分的に受容者に挿入されるように構成されるサブシステム（２０２）を取得する方法であって、
前記方法は、以下を含む。
Ｉ．請求項１〜１２のいずれか１つによる少なくとも１つの機能性医療パッケージ（２２０）を設けること。
II．少なくとも１つのインサータ（２２２）を前記機能性医療パッケージ（２２０）に接続すること。ここでは、前記インサータ（２２２）は、前記機能性医療パッケージ（２２０）の前記無菌容器（１５２）と係合すること。
III．前記インサータ（２２２）を前記機能性医療パッケージ（２２０）の前記使い捨てパッケージ（１１０）から取り外すこと。ここでは、前記無菌容器（１５２）は、前記インサータ（２２２）と係合したままであり、前記ライナーシーリング（１１８）は、前記インサータ（２２２）を前記使い捨てパッケージ（１１０）から取り外す間に前記無菌容器（１５２）の前記挿入部出口開口部（１６８）から剥離される。
【手続補正書】
【提出日】令和2年1月28日(2020.1.28)
【手続補正１】
【補正対象書類名】特許請求の範囲
【補正対象項目名】請求項３７
【補正方法】変更
【補正の内容】
【請求項３７】
i)  請求項１〜２０のいずれか一項に記載の方法を行うことにより、神経障害を患っている第１の個体の脳の複数のニューロンサブタイプの各々によって調節される神経経路の相対活動を推定し、
ii)   推定された相対活動に基づき、前記複数のニューロンサブタイプの一又は複数のニューロンの活動を調節するのに十分なように前記脳の領域を刺激することを特徴とする方法。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
ニューロンを刺激するための装置（１）であって、
刺激部（１１）を備え、前記刺激部（１１）は、患者の脳及び脊髄の少なくとも一方におけるニューロンを刺激するために刺激信号（２２）を患者の組織に投与する少なくとも１つの刺激素子（１２）を有し、且つ、患者の体内に埋め込まれるように構成され、
更に、刺激されたニューロンのニューロン活動を反映する測定信号（２３）を受信するように構成され、
更に、前記刺激部（１１）と前記測定部（１３）に接続された制御部（１０）を備え、
前記制御部（１０）は、
変調用信号を前記測定信号（２３）から生成するように構成され、
複数の個別パルス（４０）を含むパルス列（３５）の振幅を前記変調用信号で変調させるように構成され、
前記ニューロンを刺激するために、前記少なくとも１つの刺激素子（１２）が前記振幅変調済みのパルス列を前記刺激信号（２２）として投与するように、前記刺激部（１１）を制御するように構成され、
前記複数の個別パルス（４０）は各々、第１のパルス部分（４１）と、前記第１のパルス部分（４１）に後続する第２のパルス部分（４２）を有し、
前記第１のパルス部分（４１）及び前記第２のパルス部分（４２）の一方が組織に電荷を導入し、前記第１のパルス部分（４１）及び前記第２のパルス部分（４２）の他方が組織から電荷を取り除き、
前記複数の個別パルス（４０）の第１のパルス部分（４１）と第２のパルス部分（４２）の間にそれぞれ、ポーズ（４３）が設けられ、
前記刺激信号（２２）は、患者に投与されたときに刺激されたニューロンの病的に同期的な振動性の活動を非同期化するように構成され、
前記測定信号（２３）は、刺激されたニューロンの病的に同期的な振動性のニューロン活動を反映し、
前記制御部（１０）は、前記刺激されたニューロンの同期化が最小になり又は所定の閾値よりも低下するまで、前記第１のパルス部分（４１）と前記第２のパルス部分（４２）の間のポーズを変更するように構成される、装置。
【請求項２】
前記パルス列（３５）内の個別パルス（４０）は、連続的に及び／又は周期的に繰り返される、請求項１に記載の装置（１）。
【請求項３】
前記パルス列（３５）内の複数の個別パルス（４０）は、少なくとも１００Ｈｚの周波数で周期的に繰り返される、請求項１又は２に記載の装置（１）。
【請求項４】
前記第１のパルス部分（４１）と前記第２のパルス部分（４２）の間のポーズ（４３）は、少なくとも１ミリ秒である、請求項１〜３のいずれか一項に記載の装置（１）。
【請求項５】
前記制御部（１０）は、前記測定信号（２３）を増幅及びバンドパスフィルタ処理の少なくとも一方によって前処理して、前記変調用信号を前処理された測定信号から生成するように構成される、請求項１〜４のいずれか一項に記載の装置（１）。
【請求項６】
前記制御部（１０）は、前記変調用信号を生成するために、前記測定信号（２３）を時間遅延によって線形的に処理するように更に構成される、請求項１〜５のいずれか一項に記載の装置（１）。
【請求項７】
前記制御部（１０）は、前記変調用信号を生成するために、前記測定信号（２３）を時間遅延によって非線形的に処理するように更に構成される、請求項１〜６のいずれか一項に記載の装置（１）。
【請求項８】
前記制御部（１０）は、特に刺激されたニューロンの同期化が局所的な最小値に到達するまで又は所定の閾値未満に低下するまで、前記測定信号（２３）の時間遅延を変更して前記変調用信号を生成するように構成される、請求項１〜７のいずれか一項に記載の装置（１）。
【請求項９】
前記制御部（１０）は、前記時間遅延の変更後、特に刺激されたニューロンの同期化が別の局所的な最小値に到達するまで又は別の所定の閾値未満に低下するまで、前記刺激信号（２２）の強度を増大させるように構成される、請求項８に記載の装置（１)。
【請求項１０】
前記パルス列（３５）は、電気パルス列及び光学パルス列の一方である、請求項１〜９のいずれか一項に記載の装置（１）。
【請求項１１】
前記第１のパルス部分（４１）及び前記第２のパルス部分（４２）は、一方のパルス部分が組織に導入する電荷量と他方のパルス部分が組織から取り除く電荷量が同じになるように定められる、請求項１〜１０のいずれか一項に記載の装置（１）。
【請求項１２】
前記複数の個別パルス（４０）の第１のパルス部分（４１）と第２のパルス部分（４２）の間のポーズ（４３）は、前記パルス列（３５）内の個別パルス（４０）の第２のパルス部分（４２）とその直後の個別パルス（４０）の第１のパルス部分（４１）の間のポーズよりも小さい、請求項１〜１１のいずれか一項に記載の装置（１）。
【請求項１３】
データ処理システムにおいて実行するためのソフトウェアであって、
前記ソフトウェアは、
刺激部（１１）を制御するための制御信号を生成するように構成され、前記刺激部（１１）は、患者の脳及び脊髄の少なくとも一方におけるニューロンを刺激するために刺激信号（２２）を患者の組織に投与する少なくとも１つの刺激素子（１２）を有し、且つ、患者の体内に埋め込まれるように構成され、
更に、刺激されたニューロンのニューロン活動を反映する測定信号（２３）を受信し、
変調用信号を前記測定信号（２３）から生成し、
複数の個別パルス（４０）を含むパルス列（３５）の振幅を前記変調用信号で変調させ、
前記ニューロンを刺激するために、前記少なくとも１つの刺激素子（１２）が前記振幅変調済みのパルス列を前記刺激信号（２２）として、投与するように構成され、
前記複数の個別パルス（４０）は各々、第１のパルス部分（４１）と、前記第１のパルス部分（４１）に後続する第２のパルス部分（４２）を有し、
前記第１のパルス部分（４１）及び前記第２のパルス部分（４２）の一方が組織に電荷を導入し、前記第１のパルス部分（４１）及び前記第２のパルス部分（４２）の他方が組織から電荷を取り除き、
前記複数の個別パルス（４０）の第１のパルス部分（４１）と第２のパルス部分（４２）の間にそれぞれ、ポーズ（４３）が設けられ、
前記刺激信号（２２）は、患者に投与されたときに刺激されたニューロンの病的に同期的な振動性の活動を非同期化するように構成され、
前記測定信号（２３）は、刺激されたニューロンの病的に同期的な振動性のニューロン活動を反映し、
更に、前記刺激されたニューロンの同期化が最小になり又は所定の閾値よりも低下するまで、前記第１のパルス部分（４１）と前記第２のパルス部分（４２）の間のポーズ（４３）を変更するように構成される、ソフトウェア。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
陰圧を創傷に適用する装置であって、
流体流路を介して、創傷の上に配置された包帯に陰圧を提供するように構成された陰圧源と、
前記流体流路内の圧力をモニタリングするように構成された1つまたは複数の圧力センサと、
コントローラとを備え、前記コントローラが、
前記1つまたは複数の圧力センサによってモニタリングされる前記圧力、および前記陰圧源の活性レベルに基づいて、前記流体流路内の血液の存在を検出し、
前記流体流路内に血液が存在することの指示を提供するように構成され、
前記装置は、前記流体流路を通って流れる流体の性質の変化を引き起こす流体のタイプを判定するよう構成される、陰圧を創傷に適用する装置。
【請求項２】
前記陰圧源がアクチュエータによって作動するポンプを含み、前記活性レベルが、ポンプ速度、前記アクチュエータを駆動するように構成されたパルス幅変調(PWM)信号、または前記アクチュエータを駆動するように構成された電流信号のうち少なくとも1つを含む、請求項1に記載の装置。
【請求項３】
前記コントローラが、
ある持続時間にわたる前記圧力の変化と関連付けられる第1のインジケータと、前記持続時間にわたる前記活性レベルの変化と関連付けられる第2のインジケータとを計算し、
前記第1および第2のインジケータに基づいて血液の存在を検出するように構成される、請求項1または2に記載の装置。
【請求項４】
前記第1および第2のインジケータのうち少なくとも1つが統計的インジケータを含む、請求項3に記載の装置。
【請求項５】
前記コントローラがさらに、前記第1または第2のインジケータのうち少なくとも1つが閾値から逸脱しているかを判定し、前記逸脱に基づいて血液の存在を検出する、時系列解析を実施するように構成される、請求項3または4に記載の装置。
【請求項６】
前記時系列解析が、前記第1または第2のインジケータのうち少なくとも1つの累積和(Cusum)の判定を含む、請求項5に記載の装置。
【請求項７】
前記第1または第2のインジケータのうち少なくとも1つの前記Cusumがスライディング因果的Cusumを含む、請求項6に記載の装置。
【請求項８】
前記第1のインジケータが前記持続時間にわたる平均圧を含み、前記第2のインジケータが前記持続時間にわたる前記電流信号の標準偏差を含む、請求項3から7のいずれか一項に記載の装置。
【請求項９】
血液が前記流体流路内に存在することの前記指示が、アラームの活性化、前記流体流路内の陰圧の解除、前記陰圧源によって提供される標的陰圧の減少、または前記陰圧源の非活性化のうち1つまたは複数を含む、請求項1から8のいずれか一項に記載の装置。
【請求項１０】
前記コントローラがさらに、前記流体流路内の水の存在、前記流体流路内の滲出物の存在、前記流体流路内のガス漏れの存在、または前記流体流路内の前記圧力の変化のうち1つまたは複数を検出し、指示を提供するように構成される、請求項1から9のいずれか一項に記載の装置。
【請求項１１】
前記コントローラがさらに、
ある持続時間にわたる圧力の変化、および前記持続時間にわたる前記活性レベルの変化と関連付けられる複数のインジケータを計算し、
前記複数のインジケータに基づいて、前記流体流路内の水の存在、前記流体流路内の滲出物の存在、前記流体流路内のガス漏れの存在、または前記流体流路内の前記圧力の変化のうち1つまたは複数を検出し、指示を提供するように構成される、請求項10に記載の装置。
【請求項１２】
前記複数のインジケータのうち少なくともいくつかが統計的インジケータを含み、前記コントローラがさらに、前記複数のインジケータのうち少なくともいくつかが1つまたは複数の閾値から逸脱しているかを判定し、前記逸脱に基づいて、前記流体流路内の水の存在、前記流体流路内の滲出物の存在、前記流体流路内のガス漏れの存在、または前記流体流路内の陰圧の変化のうち1つまたは複数を検出する、時系列解析を実施するように構成される、請求項11に記載の装置。
【請求項１３】
前記時系列解析が、前記複数のインジケータのうち少なくともいくつかの累積和(Cusum)の判定を含み、前記複数のインジケータのうち少なくともいくつかの前記Cusumがスライディング因果的Cusumを含む、請求項12に記載の装置。
【請求項１４】
前記流体流路内の前記圧力の変化と関連付けられるインジケータが、前記持続時間にわたる平均圧を含み、前記流体流路内のガス漏れの存在と関連付けられるインジケータが、前記電流信号の平均の標準偏差を含み、前記流体流路内の水または滲出物の存在と関連付けられるインジケータが、ポンプ速度の標準偏差の尖度を含む、請求項11から13のいずれか一項に記載の装置。
【請求項１５】
前記コントローラがさらに、前記インジケータのうち少なくとも1つに基づいて、前記1つまたは複数の圧力センサの誤動作を判定するように構成される、請求項11から14のいずれか一項に記載の装置。